(57)【要約】  【課題】従来一般に知られているシェービング接合構造に改良を加えてピンタイプ保持器に適用することにより、部品点数の増加がなく、接合強度の高い接合構造をもったピンタイプ保持器を提供することである。  【解決手段】対向一対の側板１５、１５と、これらの側板１５間に周方向に一定間隔をおいて配置されたピン１６とからなり、前記ピン１６の少なくとも一方の端部に表面硬化処理が施されたスプライン接合端部２２が形成され、前記側板１５が前記スプライン接合端部２２より軟質であり、その側板１５の下穴２９に前記ピン１６のスプライン接合端部２２がシェービング接合により接合された構成とした。【選択図】図４
2010265930.tif 000002
【特許請求の範囲】
【請求項１】
対向一対の環状の側板と、これらの側板間に周方向に一定間隔をおいて配置されたピンとからなり、前記ピンをころに貫通させ当該ピンの両端部を各側板に接合することにより前記ころを支持するようにしたピンタイプ保持器において、前記ピンの少なくとも一方の端部に表面硬化処理が施されたスプライン接合端部が形成され、前記側板が前記スプライン接合端部より軟質であり、その側板の下穴に前記ピンのスプライン接合端部がシェービング接合により接合されたことを特徴とするピンタイプ保持器。
【請求項２】
前記スプライン接合端部の先端に当該スプライン接合端部より小径の案内部が設けられたことを特徴とする請求項１に記載のピンタイプ保持器。
【請求項３】
前記案内部の付け根部に周溝が形成されたことを特徴とする請求項２に記載のピンタイプ保持器。
【請求項４】
前記スプライン接合端部が先端側に至るほど小径になるようテーパが付与されたことを特徴とする請求項１から３のいずれかに記載のピンタイプ保持器。
【請求項５】
前記側板の外側面に露出した前記ピンのスプライン接合端部にカシメ加工部又はろう付け加工部を設けたことを特徴とする請求項１から４のいずれかに記載のピンタイプ保持器。
【請求項６】
軌道輪、その軌道輪の軌道面を転動するころ、及び前記ころを案内する保持器とからなるころ軸受において、前記保持器として請求項１から５のいずれかに記載のピンタイプ保持器を用い、その各ピンを前記ころに貫通させたことを特徴とするとするころ軸受。
【請求項７】
一対の環状の側板と、一端部に雄ネジ接合端部、他端部にスプライン接合端部が形成された所要数のピンを用い、前記一方の側板に周方向に一定間隔をおいて前記雄ネジ接合端部に合致する雌ネジ、他方の側板に前記と同じ間隔をおいて前記スプライン接合端部より小径の下穴をそれぞれ設ける工程、
その後前記の雌ネジ穴が設けられた側板に各ピンの雄ネジ接合端部をネジ結合によって接合し、その側板を各ピンが上向きとなる姿勢で下冶具上に載置する工程、
前記ピンにころを差し込む工程、
以上の工程を順に実行することにより得られたピンタイプ保持器とそのピンに挿通保持されたころからなるころ組立体に外輪を嵌合し、外輪を嵌合した状態で下冶具上に配置する工程、
前記他方の側板を前記ピンのスプライン接合端部上に載せ、各下穴をそれぞれ前記スプライン接合端の上端に嵌める工程、
当該側板を上冶具により下向きに加圧し、各ピンのスプライン端接合部を各下穴にシェービング接合により接合する工程、
前記ころ列の内径側に内輪を嵌合する工程
を順に実行することを特徴とするころ軸受の製造方法。
【請求項８】
一対の環状の側板と、両端部にスプライン接合端部が形成された所要数のピンを用い、前記両側板に周方向に一定間隔をおいて前記スプライン接合端部より小径の下穴を設ける工程、
前記ピンの一方のスプライン接合端部を一方の側板の下穴にシェービング接合によって接合し、その側板を各ピンが上向きとなる姿勢で下冶具上に載置する工程、
前記ピンにころを差し込む工程、
以上の工程を順に実行することにより得られたピンタイプ保持器とそのピンに挿通保持されたころからなるころ組立体に外輪を嵌合し、外輪を嵌合した状態で下冶具上に配置する工程、
前記他方の側板を前記ピンのスプライン接合端部上に載せ、各下穴をそれぞれ前記スプライン接合端部の上端に嵌める工程、
当該側板を上冶具により下向きに加圧し、各ピンのスプライン端接合部を各下穴にシェービング接合により接合する工程、
前記ころ列の内径側に内輪を嵌合する工程
を順に実行することを特徴とするころ軸受の製造方法。
【請求項９】
前記ピンのとして、そのスプライン接合端部の先端に当該スプライン接合端部より小径の案内部が設けられたものを用い、その案内部が上向きになった状態で前記他方の側板をそのピンのスプライン接合端部上に載せ、各下穴をそれぞれ前記スプライン接合端部の上端に嵌める工程において、各下穴を前記案内部に嵌めることを特徴とする請求項に７又は８に記載のころ軸受の製造方法。
【請求項１０】
前記案内部の付け根部に周溝が形成されたことを特徴とする請求項９に記載のころ軸受の製造方法。
【発明の詳細な説明】
【技術分野】
【０００１】
この発明は、ピンタイプ保持器、これを用いたころ軸受及びそのころ軸受の製造方法に関するものである。
【背景技術】
【０００２】
ピンタイプ保持器は、対向一対の環状の側板と、これらの側板間に周方向に一定間隔をおいて配置されたピンとからなり、前記ピンをころに貫通させ当該ピンの両端部を各側板に接合固定することにより当該ころを支持するようにしたものである。
【０００３】
前記ピンの両端部を側板に接合する手段として従来から知られている一つの方法は、一方の側板に対してピンの一端部をネジ結合し、他方の側板に対しては、接合穴にピンの他端部を軽く圧入したのち溶接を施し、これによりピンの抜け止め及び空転止めを図るようにしたものである（特許文献１）。
【０００４】
また、溶接によらない方法として、一方の側板に対してピンの一端部をネジ結合し、他方の側板に対してはピンの他端部と接合穴のスキマにテーパブッシュを挿入し、そのテーパブッシュをピンの端部にネジ結合したナットで締め付けるようにしたものがある（特許文献２）。
【０００５】
また、ピンの端部にローレット加工を施し、その部分を側板の穴に圧入したのち、外部から抜け止めピンを差し込む方法も知られている（特許文献３の図１７）。さらに、前記の抜け止めピンを用いることなく大きな接合強度を得るために、側板の穴にピンの端部を圧入したのち、側板の外部かピンの先端部に塑性変形加工（カシメ加工）を施す方法も知られている（特許文献３の図１）。
【０００６】
一方、塑性加工の分野において異種材の接合方法として「シェービング接合」が知られている（非特許文献１）。非特許文献１の「Fig１」示された例を本願の図１３（ａ）に転載してシェービング接合につき同文献の記載に基づき説明する。図において、１は金型、２はこれを支持する基台、３はポンチである。管４の底面に下穴５が設けられる。その管４が金型１の内側に挿入される。下穴５の下面と基台２との間に管４とは異種材のフタ６が介在される。前記下穴５の径はフタ６の径より若干小径に形成される。前記管４の下穴５の内周縁は局部的に加熱され軟化された状態にある。
【０００７】
前記のセット状態で、ポンチ３にプレス力（白抜き矢印参照）を加えると、フタ６の外周縁によって下穴５の内周縁にシェービング（軽い切削）が施されるので下穴５の内周面に新生面が創生される。シェービング作業終了と同時に接合作業も終わり、管４の下穴５にフタ６がはめ込まれた形で残る。プレス作業を終えた後、接合製品を金型１から取出し、室温放置あるいは強制冷却して異種材シェービング接合品を得る。
【０００８】
また、前記非特許文献１のFig１０、Fig１１及び各図に関する説明において、図１３（ｂ）に示したように、前記フタ６の側面に周溝７を設け、その周溝７の上部の周壁８の径より下部の周壁９の径を大きく形成したものが示されている。この場合は、周壁８の部分でシェービングを行ったのち周壁９の部分でさらにシェービング行う、即ち、２段シェービングを行うものである。
【０００９】
さらに、シェービング接合に関して、基材管（シャフト）に接合部材（カムピース）をシェービング接合によって結合する技術も知られている（非特許文献２）。この場合は、シャフトの所定位置に予めローレット加工が施され、その加工部分にカムピースをシェービング接合するようにしたものであり、ローレット山が接合部材の内周をシェービングする。シャフト及びカムピースはいずれも炭素鋼であって同程度の硬度である。シャフトのローレット加工部分は加工硬化によって母材より幾分硬度が高くなっている。
【先行技術文献】
【特許文献】
【００１０】
【特許文献１】特開２００３−３４３５７４号公報
【特許文献２】特開２００２―２０６５３６号公報
【特許文献３】特開２００５−３２１０７７号公報
【非特許文献】
【００１１】
【非特許文献１】「塑性と加工」（日本塑性加工学会誌）第２８巻第３２２号（１９８７−１１）「異種材のシェービング接合法とその軟鋼への応用」（１１５８〜１１６５頁）
【非特許文献２】「塑性と加工」（日本塑性加工学会誌）第３８巻第４４１号（１９９７−１０）「シェービング接合による組立式カムシャフトの接合強度」（６５〜６９頁）
【発明の概要】
【発明が解決しようとする課題】
【００１２】
前記特許文献１に開示されたように、ピンの端部に溶接を施して固定する方法は、炭素量の多い鋼材を使用した場合には溶接部分に割れや内部欠陥の発生するおそれがある。また溶接熱により表面硬化部が軟化し、耐摩耗性が低下する問題、さらに、溶接スパッタが飛散し他の場所に付着する等諸種の問題がある。
【００１３】
また、特許文献２のように、テーパブッシュやナットを用いて固定する方法は、部品点数が増加する問題がある。
【００１４】
さらに、特許文献３のように、ローレット加工されたピン端部を側板の穴に圧入したうえで抜け止めピンを差し込む方法、及びローレット加工をすることなく、ピン端部を側板の穴に圧入して端部に塑性変形加工を加える方法は、いずれの方法も圧入だけでは、十分な接合強度がえられないため、抜け止めピンや塑性変形加工を追加する必要がある。このような追加的な加工を多数のピンごとに行う必要があるため加工に時間を要し、また特別な構造をもったカシメ冶具が必要となるなど問題が多い。
【００１５】
一方、非特許文献１に示されたシェービング接合方法は、管４（図１３（ａ）参照）を金型内に収め接合部分を拘束した状態で加圧する必要があるため、ピンタイプ保持器における側板とピンの接合のように、接合部分が接近して多数存在している部分に適用するとすれば金型の構造が著しく複雑になる。
【００１６】
前記のシェービング接合においては、フタ６の周縁で管４の内周面を薄く切削するため、その切削を効率よく行うために、フタ６の周縁に焼入れを施し、表面硬化処理を施すことが好ましいので、そのようなフタ６を用いることが考え得る。しかし、当該文献の方法によれば、管４の下穴の周縁を加熱した状態でフタ６をシェービング接合させるため、その熱がフタ６に伝導され、その熱によって焼入れを施してあったフタ６が焼戻され軟化してしまう不具合がある。
【００１７】
また、前記非特許文献２においては、シャフト側にローレット加工を施し、カムピース側を加熱することなくシェービング接合が行われている。しかし、この場合は、シャフトに焼入れは施されていないため、カムピースの硬度が高くなるにつれ、シェービングが不十分になる問題がある。
【００１８】
以上の従来技術の問題点にかんがみ、この発明は、前記シェービング接合構造に改良を加えることにより、部品点数の増加がなく、接合強度の高いピンの接合構造をもったピンタイプ保持器、それを用いたころ軸受及びその軸受の製造方法を提供することを課題とする。
【課題を解決するための手段】
【００１９】
前記の課題を解決するために、ピンタイプ保持器に係る発明は、対向一対の環状の側板と、これらの側板間に周方向に一定間隔をおいて配置されたピンとからなり、前記ピンをころに貫通させ当該ピンの両端部を各側板に接合することにより前記ころを支持するようにしたピンタイプ保持器において、前記ピンの少なくとも一方の端部に表面硬化処理が施されたスプライン接合端部が形成され、前記側板が前記スプライン接合端部より軟質であり、その側板の下穴に前記ピンのスプライン接合端部がシェービング接合により接合された構成としたものである。
【００２０】
また、前記のピンタイプ保持器を用いたころ軸受に係る発明は、軌道輪、その軌道輪の軌道面を転動するころ、及び前記ころを案内する保持器とからなるころ軸受において、前記保持器として前記のピンタイプ保持器を用い、その各ピンを前記ころに貫通させた構成としたものである。
【００２１】
前記ころ軸受の製造方法に係る発明であって、片側シェービング接合を行うものは、一対の環状の側板と、一端部に雄ネジ接合端部、他端部にスプライン接合端部が形成された所要数のピンを用い、前記一方の側板に周方向に一定間隔をおいて前記雄ネジ接合端部に合致する雌ネジ穴、他方の側板に前記と同じ間隔をおいて前記スプライン接合端部より小径の下穴をそれぞれ設ける工程、その後前記の雌ネジ穴が設けられた側板に各ピンの雄ネジ接合端部をネジ結合によって接合し、その側板を各ピンが上向きとなる姿勢で下冶具上に載置する工程、前記ピンにころを差し込む工程、以上の工程を順に実行することにより得られたピンタイプ保持器とそのピンに挿通保持されたころからなるころ組立体に外輪を嵌合し、外輪を嵌合した状態で下冶具上に配置する工程、前記他方の側板を前記ピンのスプライン接合端部上に載せ、各下穴をそれぞれ前記スプライン接合端の上端に嵌める工程、当該側板を上冶具により下向きに加圧し、各ピンのスプライン端接合部を各下穴にシェービング接合により接合する工程、前記ころ列の内径側に内輪を嵌合する工程を順に実行するようにしたものである。
【００２２】
また、前記ころ軸受の製造方法に係る発明であって、両側シェービング接合を行うものは、一対の環状の側板と、両端部にスプライン接合端部が形成された所要数のピンを用い、前記両側板に周方向に一定間隔をおいて前記スプライン接合端部より小径の下穴を設ける工程、前記ピンの一方のスプライン接合端部を一方の側板の下穴にシェービング接合によって接合し、その側板を各ピンが上向きとなる姿勢で下冶具上に載置する工程、前記ピンにころを差し込む工程、以上の工程を順に実行することにより得られたピンタイプ保持器とそのピンに挿通保持されたころからなるころ組立体に外輪を嵌合し、外輪を嵌合した状態で下冶具上に配置する工程、前記他方の側板を前記ピンのスプライン接合端部上に載せ、各下穴をそれぞれ前記スプライン接合端部の上端に嵌める工程、当該側板を上冶具により下向きに加圧し、各ピンのスプライン端接合部を各下穴にシェービング接合により接合する工程、前記ころ列の内径側に内輪を嵌合する工程を順に実行するようにしたものである。
【発明の効果】
【００２３】
以上のように、この発明に係るピンタイプ保持器は、ピンの少なくとも一端部に設けたスプライン接合端部が表面硬化処理によって側板より高硬度に形成されているため側板を加熱して軟化する必要がなく、冷間において確実にシェービング接合を行うことができる。
【００２４】
前記ピンとして、一端部に雄ネジ接合端部、他端部にスプライン接合端部を設けたもの、又は両端部にスプライン接合端部を設けたものを用いることにより、ピンの側板に対する接合構造において、溶接によることなく、また部品の増加を伴うことなくピンを側板に強固に接合固定することができる。
【００２５】
前記スプライン接合端部においては、下穴に圧入する際に押し退けられる下穴周辺の肉は、スプラインの歯溝部分に逃げるので、側板を金型に納めることなくシェービング接合を行うことができる。
【００２６】
前記スプライン接合端部の先端部に設けた案内部は、組立途中においてその案内部に側板の下穴を嵌めることによって側板の位置決めができるので、安定したシェービング接合ができる。さらに、シェービングによって生じる切粉を案内部の付け根部に設けた周溝に押し込むことにより、ピンの抜け強度を高めることができる。
【図面の簡単な説明】
【００２７】
【図１】はころ軸受の縦断正面図である。
【図２】は図１のＸ−Ｘ線の拡大断面図である。
【図３】（ａ）図はピンの断面図、（ｂ）図はピンの変形例の断面図、（ｃ）〜（ｅ）図はスプライン接合端部の諸例を示す断面図である。
【図４】（ａ）図はピンタイプ保持器の一部拡大断面図、（ｂ）図はピンタイプ保持器の変形例の一部拡大断面図である。
【図５】（ａ）図は下穴とスプライン接合端部との大きさ関係の説明図、（ｂ）図はスプライン接合端部の変形例の説明図である。
【図６】（ａ）〜（ｃ）図は片側シェービング接合の接合方法の工程を示す断面図である。
【図７】（ａ）図及び（ｂ）図はシェービング接合工程の一部拡大断面図、（ｃ）図及び（ｄ）図はシェービング接合の説明図である。
【図８】ピンの接合構造の変形例の断面図である。
【図９】ピンの変形例の断面図である。
【図１０】図９のピンを用いた場合のピンの接合構造の断面図である。
【図１１】（ａ）〜（ｃ）図は両側シェービング接合の接合方法の工程を示す断面図である。
【図１２】ピンタイプ保持器を用いた転がり軸受の製造過程の断面図である。
【図１３】（ａ）図は、シェービング接合の従来例の断面図、（ｂ）図は、（ａ）図の一部の変形例の断面図である。
【発明を実施するための形態】
【００２８】
以下、この発明の実施の形態を添付図面に基づいて説明する。
【００２９】
図１及び図２に示した転がり軸受１０は、内輪１１と外輪１２、これらの軌道面の間に介在された多数のころ１３及びこれらのころ１３を支持案内するピンタイプ保持器１４によって構成される。
【００３０】
前記のピンタイプ保持器１４は、対向一対の環状の側板１５、１５と、これらの側板１５、１５間に周方向に一定間隔をおいて配置された多数のピン１６とからなる。各側板１５は、中炭素鋼であり、硬化処理は施されていない。前記ピン１６をころ１３の貫通穴１７に径方向の余裕をもって貫通させ、その両端部を各側板１５に接合固定することにより各ころ１３を回転自在に支持している。
【００３１】
前記のピン１６は、例えば、クロムモリブデン鋼（ＳＣＭ４３５）によって形成され、図３（ａ）に示したように、一方の接合端部に雄ネジ１８が形成されている。この接合端部を雄ネジ接合端部１９と称する。雄ネジ１８は、図示のようなテーパネジでもよく、またストレートネジであってもよい。
【００３２】
また、他方の接合端部にはスプライン２１が形成されている。この接合端部をスプライン接合端部２２と称する。スプライン２１の先端部は、先鋭な端部となるように成形後に旋削を施すことが望ましい。
【００３３】
前記スプライン接合端部２２の先端面に周溝２３を介して案内部２４が形成される。案内部２４はスプライン接合端部２２より小径であり、周溝２３の溝底の径は案内部２４よりさらに小径である。周溝２３を形成する一方の壁面は前記の案内部２４であり、他方の壁面はスプライン接合端部２２の先端面の周縁部分、即ち肩部２５となる。
【００３４】
前記ピン１６の軸部２６はころ１３を支持する部分であり、その軸部２６からスプライン接合端部２２にわたり焼入れによる表面硬化処理層２７が形成される。スプライン接合端部２２における表面硬化処理層２７の深さは、スプライン２１の歯山全域が硬化する深さに設定される。ピン１６のスプライン接合端部２２は、前記の表面硬化処理層２７が施されたことにより、なんら硬化処理の施されていない側板１５に比べ高硬度である。
【００３５】
図３（ｂ）に示したピン１６ａは、両端部がスプライン接続端部２２、２２となっているものである。この場合の表面硬化処理層２７は両方のスプライン接続端部２２、２２に達するように形成される。
【００３６】
前記スプライン接続端部２２のスプライン２１の断面形状は、矩形山形（図３（ｃ）参照）、波形（図３（ｄ）参照）又は三角山形（図３（ｅ）参照）等がある。
【００３７】
図４（ａ）は、図３（ａ）に示したピン１６を使用した場合のピンタイプ保持器１４の部分拡大図であり、一方の側板１５に雌ネジ２８が形成され、ピン１６の雄ネジ接合端部１９がネジ結合される。ピン１６の軸部２６にころ１３の貫通穴１７が余裕をもって貫通される。また、スプライン接続端部２２は、他方の側板１５の下穴２９に対し後述するシェービング接合により接合される。前記の案内部２４は下穴２９の先端に達する。
【００３８】
図４（ａ）のように、ピン１６を一方の側板１５に対しネジ結合によって接合し、他方の側板１５に対してシェービング接合によって接合した接合構造を、「片側シェービング接合」と称する。
【００３９】
図４（ｂ）は、図３（ｂ）に示したピン１６ａを用いたものであり、この場合は両方の側板１５、１５に対して両方のスプライン接合端２２、２２がシェービング接合によって接合される。この接合構造を、「両側シェービング接合」と称する。
【００４０】
次に、前記シェービング接合構造及びシェービング接合方法の詳細ついて説明する。図５に示したように、スプライン接合端部２２の直径Ｄ、スプライン谷部の直径ｄ、案内部２４の直径Ｄ０、側板１５の下穴２９の内径Ｄ’の関係は、次の通りである。
Ｄ−Ｄ’＝０．７〜１．０ｍｍ
Ｄ−ｄ＝１．４ｍｍ
Ｄ０＜Ｄ
なお、図５（ｂ）に示したように、スプライン接合端部２２に若干のテーパ角θを付与する場合がある。
【００４１】
図６（ａ）〜（ｃ）は、片側シェービング接合によるピンタイプ保持器１４の接合方法を示している。即ち、図６（ａ）に示したように、ピン１６の雄ネジ接合端部１９を一方の側板１５の雌ネジ２８に上方からネジ結合する。その後、ピン１６の軸部２６にころ１３の貫通穴１７を貫通させ（図６（ｂ）参照）、他方の側板１５の下穴２９をピン１６の案内部２４に挿通させる。肩部２５に下穴２９の下端部を載せることにより側板１５の位置決めを行う。その上で、側板１５上にプレスにより加圧を行い（図６（ｃ）の白抜き矢印参照）シェービング接合を行う。
【００４２】
図７（ａ）はシェービング接合の加工途中を示し、図７（ｂ）は加工完了後を示す。同図（ａ）に示したように、シェービング接合を開始すると、下穴２９の直径Ｄ’に比べスプライン接合端部２２の直径Ｄの方が大であることにより、その差分だけスプライン２１の先端が下穴２９に圧入され、同時に表面硬化処理が施されたスプライン２１の歯山の先端によって下穴２９の内周面にシェービング（軽い切削）が施される。そのシェービングによって生じる切粉３１はスプライン接合端部２２の肩部２５及び周溝２３に接してカールする。
【００４３】
図７（ｂ）のように、シェービング接合が完了した状態においては、案内部２４が下穴２９の上端に達し、側板１５の外面と揃う。前記の切粉３１は、切れることなくカールしたまま肩部２５と周溝２３に押し込まれる。
【００４４】
前記のシェービング接合において、スプライン２１の歯山の先端が下穴２９の内周部分を加圧除去しながら圧入が進行すると、スプライン２１の歯山の側面に垂直な圧力Ｆ（図７（ｃ）参照）が作用する。この圧力Ｆによりスプライン２１が締め付けられることにより、スプライン接合端部２２の接合力が得られる。また、前記の圧入に伴い押し退けられた肉はスプライン２１の間の歯溝に逃げるため（図７（ｃ）矢印ａ参照）、下穴２９周辺部分の拡径が抑制される。
【００４５】
このように、表面効果処理が施されたスプライン２１が、そのような処理の施されていない生の金属板の側板１５を容易にシェービングするため、側板１５を加熱によって軟化させる必要がなく、したがって、スプライン２１の部分が焼戻しを受けるおそれもない。さらに、圧入によって押し退けられる肉はスプライン２１の歯溝に逃げるため、側板１５を金型内に納めて拘束する必要もない。また、肩部２５と周溝２３に押し込まれた切粉３１は、ピン１６の引抜き力の強化に貢献する。
【００４６】
図７（ｄ）は、シェービング接合を完了したのちにスプライン接合端部２１を実験的に引き抜いた後の下穴２９の状態を示す。図示のように、下穴２９の内周面にシェービング溝３２が残っている。これは、スプライン接合端部２２が下穴２９に単に圧入されただけでなく、あたかもブローチ加工を施したかのような切削によってシェービング溝３２が形成され、そのシェービング溝３２にスプライン２１が圧入されることが分かる。
【００４７】
また、前述のように、スプライン接合端部２２にテーパを付与した場合（図５（ｂ）参照）は、前記のスプライン２１の先端におけるシェービング時の負担を増大させることなく、圧入されるスプライン２１に対する締め代が大きくなり、接合強度が増す。
【００４８】
なお、前記のスプライン接合端部２２の接合完了後、図８に示したように、ロウ付け加工部３７を形成する場合がある。抜け強度を一層高める場合に有効である。
【００４９】
また、図９及び図１０に示したように、前記ピン１６の変形例を用いる場合もある。この場合のピン１６は、スプライン接合端部２２の先端に軸部２６と同径で側板１５の厚さより高い補助軸部３８を設けている。その補助軸部３８の先端面にカシメ加工のための凹部３９が設けられる。
【００５０】
前記のピン１６を用いてそのスプライン接合端部２２を側板１５にシェービング接合したのち、図１０に示したように、側板１５から突き出した補助軸部３８の先端部にカシメ加工を施し、カシメ加工部４０を形成する。この接続構造によると、スプライン接合端部２２におけるシェービング接合による抜け強度に加え、カシメ部加工部４０の抜け強度が得られる。
【００５１】
図１１（ａ）〜（ｃ）は、前記の両側シェービング接合によるピンタイプ保持器１４の接合構造を示している。この場合は、図１１（ａ）に示したように、一方の側板１５の下穴２９にピン１６ａの一方のスプライン接続端部２２をシェービング接合したのち、前記の場合と同様に、ピン１６ａにころ１３を貫通させ、その後他方の側板１５を載せ（図１１（ｂ）参照）、シェービング接合を行う（図１１（ｃ）参照）。この場合は、ピン１６ａの両端部においてシェービング接合による前述のメリットが得られる。
【００５２】
次に、図１２に基づいて、前記のピンタイプ保持器１４を用いたころ軸受１０の製造方法について説明する。図１２は、片側シェービング接合の場合のピンタイプ保持器１４を使用したものであり、一方の側板１５にピン１６の雄ネジ接合端部１９をネジ結合したのち、ころ１３を各ピン１６に貫通させた半組立体を外輪１２の軌道面に組み込み、これを下冶具３５上に設置した状態を示す。
【００５３】
図１２の左半分は、他方の側板１５を各ピン１６のスプライン接合端部２２上に位置決めして載せ、その上方に上冶具３６を臨ませた状態を示している。また、同図の右半分は、前記上冶具３６をプレスして（白抜き矢印参照）上部の側板１５を加圧し、シェービング接合を行った状態を示している。そのシェービング接合の完了後、上下の冶具３５、３６から外し、ころ１３列の内周に内輪１１を嵌めるところ軸受１０が完成する。
【００５４】
なお、前記のピン１６に替えてピン１６ａを用いた両側シェービング接合の場合（図１１参照）も同様であり、また、シェービング接合完了後ロウ付け加工部３７（図８参照）やカシメ加工部４０を形成すること等を追加することができる。
【符号の説明】
【００５５】
１０  転がり軸受
１１  内輪
１２  外輪
１３  ころ
１４  ピンタイプ保持器
１５  側板
１６  ピン
１６ａ  ピン
１７  貫通穴
１８  雄ネジ
１９  雄ネジ接合端部
２１  スプライン
２２  スプライン接合端部
２３  周溝
２４  案内部
２５  肩部
２６  軸部
２７  表面硬化処理層
２８  雌ネジ
２９  下穴
３１  切粉
３２  シェービング溝
３５  下冶具
３６  上冶具
３７  ロウ付け部加工部
３８  補助軸部
３９  凹部
４０  カシメ加工部
【図１】
2010265930.tif 000003
【図２】
2010265930.tif 000004
【図３】
2010265930.tif 000005
【図４】
2010265930.tif 000006
【図５】
2010265930.tif 000007
【図６】
2010265930.tif 000008
【図７】
2010265930.tif 000009
【図８】
2010265930.tif 000010
【図９】
2010265930.tif 000011
【図１０】
2010265930.tif 000012
【図１１】
2010265930.tif 000013
【図１２】
2010265930.tif 000014
【図１３】
2010265930.tif 000015